(57)【要約】【課題】コードレス電話機による通話時、親機側のデータ転送時に発せられるバーストノイズを抑制できる無線通信装置を提供する。【解決手段】コードレス電話機の親機１００はカラーＬＣＤからなる表示デバイス部１０１を有し、スクリーンセイバ等の画面を変化させる表示動作を行う。この表示動作では、画面上のグラフィックを切り替えるために、表示デバイス部１０１のデータを定期的に書き換える必要がある。ＲＯＭ２０２に記憶されたデータを、ＲＡＭ２０３でグラフィックデータに展開し、ＬＣＤコントローラ２０４に転送し、更に表示デバイス部１０１に転送する。このデータ転送タイミングに同期して、システムバス２１５からノイズが発生するが、コードレス電話機の子機１１０が通話中、ノイズが発生して通話ノイズとならないように、子機１１０が通話に入ってから、一定のディレイ時間経過後、データ転送を停止する。【選択図】　　　図６
2004007500.tif 000002
【特許請求の範囲】
【請求項１】
電波による音声信号を送受信する無線通信装置において、
前記無線通信装置の表示画面に表示されるデータを記憶する記憶手段と、
該記憶されたデータを転送する転送手段と、
該転送されたデータを基に、定期的に前記装置の表示画面を更新する表示制御手段と、
前記無線通信装置の無線通信状態を監視し、該無線通信状態に基づいて、前記データの転送を停止する制御手段とを備えたことを特徴とする無線通信装置。
【請求項２】
親機と子機との間で電波による音声信号を送受信するコードレス電話機において、
前記親機の表示画面に表示されるデータを記憶する記憶手段と、
該記憶されたデータを転送する転送手段と、
該転送されたデータを基に、定期的に前記親機の表示画面を更新する表示制御手段と、
前記親機・子機間の無線通信状態を監視し、該無線通信状態に基づいて、前記データの転送を停止する制御手段とを備えたことを特徴とするコードレス電話機。
【請求項３】
前記制御手段は、前記子機による通話を開始する場合に、表示用データを含む各種のデータの転送を停止することを特徴とする請求項２記載のコードレス電話機。
【請求項４】
前記制御手段は、前記無線通信状態が通信状態になった場合、該無線通信状態の変化から所定のディレイを経過した後、前記データの転送を停止することを特徴とする請求項２記載のコードレス電話機。
【請求項５】
通話パスを形成して、前記子機による通話が開始すると、前記表示制御手段は、前記親機の表示画面を、着信中である旨の表示から子機通話中である旨の表示に更新し、前記制御手段は、前記データの転送を停止し、前記子機による通話が終了すると、前記制御手段は前記データの転送を再開することを特徴とする請求項２記載のコードレス電話機。
【請求項６】
電波による音声信号を送受信する無線通信装置の表示動作を制御する表示動作制御方法において、
前記無線通信装置の表示画面に表示されるデータを記憶する記憶ステップと、
該記憶されたデータを転送する転送ステップと、
該転送されたデータを基に、定期的に前記装置の表示画面を更新する表示制御ステップと、
前記無線通信装置の無線通信状態を監視し、該無線通信状態に基づいて、前記データの転送を停止する制御ステップとを有することを特徴とする表示動作制御方法。
【請求項７】
親機と子機との間で電波による音声信号を送受信するコードレス電話機の表示動作を制御する表示動作制御方法において、
前記親機の表示画面に表示されるデータを記憶する記憶ステップと、
該記憶されたデータを転送する転送ステップと、
該転送されたデータを基に、定期的に前記親機の表示画面を更新する更新ステップと、
前記親機・子機間の無線通信状態を監視し、該無線通信状態に基づいて、前記データの転送を停止する制御ステップとを有することを特徴とする表示動作制御方法。
【請求項８】
前記制御ステップは、前記子機による通話開始時、表示用データを含む各種のデータの転送を停止することを特徴とする請求項７記載の表示動作制御方法。
【請求項９】
前記制御ステップは、前記無線通信状態が通信状態になった場合、該無線通信状態の変化から所定のディレイを経過した後、前記データの転送を停止することを特徴とする請求項７記載の表示動作制御方法。
【請求項１０】
通話パスを形成して、前記子機による通話が開始すると、前記表示制御ステップは、前記親機の表示画面を、着信中である旨の表示から子機通話中である旨の表示に更新し、前記制御ステップは、前記データの転送を停止し、前記子機による通話が終了すると、前記制御ステップは前記データの転送を再開することを特徴とする請求項７記載の表示動作制御方法。
【請求項１１】
電波による音声信号を送受信する無線通信装置において、
前記無線通信装置の表示画面に表示されるデータを展開する展開手段と、
該展開されたデータを転送する転送手段と、
該転送されたデータを基に、前記装置の表示画面を更新する表示制御手段と、
前記無線通信装置の無線通信状態を監視する監視手段と、
前記データの転送を停止する停止手段とを備え、
前記無線通信通信装置が無線通信状態にある場合、前記停止手段が、前記データの転送を停止するとともに、前記表示制御手段は既に転送されたデータを基に表示を継続することを特徴とする無線通信装置。
【請求項１２】
前記展開手段は、さらに、前記監視手段で監視された無線通信状態の状態情報を基に、前記表示画面に表示されるデータを展開し、
前記無線通信通信装置が無線通信状態にある場合、前記表示制御手段が更新された前記状態情報に基づく表示を行った後、前記停止手段は前記データの転送を停止することを特徴とする請求項１１記載の無線通信装置。
【請求項１３】
前記監視手段は、さらに、前記無線通信装置の無線通信状態と、該無線通信状態以外の装置の状態を監視し、
前記展開手段は、前記監視手段で監視された前記装置の状態情報を基に、前記表示画面に表示されるデータを展開し、
前記無線通信通信装置が無線通信状態にある場合、前記表示制御手段が更新された前記状態情報に基づく表示を行った後、前記停止手段は前記データの転送を停止することを特徴とする請求項１１記載の無線通信装置。
【請求項１４】
前記無線通信装置は、親機と少なくとも１つの子機とからなるコードレス電話機であり、親機と子機の間で電波による音声信号を送受信することを特徴とする請求項１１乃至請求項１３のいずれかに記載の無線通信装置。
【請求項１５】
前記無線通信状態は、親機と子機の間での通話状態であることを特徴とする請求項１４記載の無線通信装置。
【請求項１６】
電波による音声信号を送受信する無線通信装置の表示動作を制御する表示動作制御方法において、
前記無線通信装置の表示画面に表示されるデータを展開する展開ステップと、
該展開されたデータを転送する転送ステップと、
該転送されたデータを基に、前記装置の表示画面を更新する表示制御ステップと、
前記無線通信装置の無線通信状態を監視する監視ステップと、
前記データの転送を停止する停止ステップとを有し、
前記無線通信装置が無線通信状態にある場合、前記停止ステップで前記データの転送を停止するとともに、前記表示制御ステップで既に転送されたデータを基に表示を継続することを特徴とする無線通信装置の表示動作制御方法。
【請求項１７】
前記展開ステップは、さらに、前記監視ステップで監視した無線通信状態の状態情報を基に、前記表示画面に表示されるデータを展開し、
前記無線通信装置が無線通信状態にある場合、前記表示制御ステップで更新された前記状態情報に基づく表示を行った後、前記停止ステップで前記データの転送を停止することを特徴とする請求項１６記載の無線通信装置の表示動作制御方法。
【請求項１８】
前記監視ステップで、さらに、前記無線通信装置の無線通信状態と、該無線通信状態以外の装置の状態を監視し、
前記展開ステップで、前記監視ステップで監視した前記装置の状態情報を基に、前記表示画面に表示されるデータを展開し、
前記無線通信装置が無線通信状態にある場合、前記表示制御ステップで更新された前記状態情報に基づく表示を行った後、前記停止ステップで前記データの転送を停止することを特徴とする請求項１６記載の無線通信装置の表示動作制御方法。
【請求項１９】
前記無線通信装置は、親機と少なくとも１つの子機とからなるコードレス電話機であり、親機と子機の間で電波による音声信号を送受信することを特徴とする請求項１６乃至請求項１８のいずれかに記載の無線通信装置の表示動作制御方法。
【請求項２０】
前記無線通信状態は、親機と子機の間での通話状態であることを特徴とする請求項１９記載の無線通信装置の表示動作制御方法。
【請求項２１】
請求項６乃至１０、請求項１６乃至２０のいずれかに記載の表示動作制御方法を実行するためのコンピュータ読み取り可能なプログラムコードを有するプログラム。
【請求項２２】
請求項６乃至１０、請求項１６乃至２０のいずれかに記載の表示動作制御方法を実行するためのコンピュータ読み取り可能なプログラムコードを有するプログラムを保持する記憶媒体。
【発明の詳細な説明】
【０００１】
【発明の属する技術分野】
本発明は、無線通信装置、電話回線に接続された親機を通じて外線相手との通話を、無線電波を使用することにより、親機から離れた場所にある子機が行うコードレス電話機、表示動作制御方法、該方法を実行するためのプログラムおよび該プログラムを記憶した記憶媒体に関する。
【０００２】
【従来の技術】
従来、コードレス電話機のような無線通信装置で通話を開始する際、各通話用チャンネルの周波数が使用されているか否かを予め検知し、既に他のコードレス電話機によって使用されているチャンネルを避け、使用されていない空きチャンネルを使用する、いわゆるキャリアセンスと呼ばれる機能により、正常な動作が保証される。
【０００３】
この機能によって選択された通話チャンネルに入っても、キャリアセンスにかからないレベルのノイズがある場合、そして、それがバースト的な規則性を有するノイズの場合、通話において不快なノイズとなって聞こえ、通話品質が悪くなるといった事態が起こってくる。ところで、表示部の小さいモノクロ表示である場合、表示部へのデータ転送量が少ないので、このような問題は大した事態にならなかった。
【０００４】
また従来、以下に示すようなノイズを抑える技術が知られている。特許文献１には、携帯電話機に代表されるような小型の無線機において、無線機の受信部のロジック回路から発生するノイズを抑えるために受信動作時に直接必要のないデータ変換部、ＬＣＤドライバ入出力制御部などへの電源供給を停止することが記載されている。
【０００５】
特許文献２には、コードレス電話を有するファクシミリ装置において、動作クロックが高いファクシミリ部からのノイズの発生を防止するために、ファクシミリ部のＣＰＵをファクシミリ動作時以外は非動作モードになるよう制御することが記載されている。
【０００６】
特許文献３には、ファクシミリ付きコードレス電話機において、ファクシミリ系からコードレス電話系へのノイズを防止するために、ファクシミリの送受信が行われていないときファクシミリの受信を制御するＣＰＵをホルト状態にすることが記載されている。
【０００７】
特許文献４には、コードレス電話を有するファクシミリ装置において、予め放射ノイズ源であるＩＣの発振を停止してコードレスフォンの制御チャネルの妨害となることを防止するために、ファクシミリ装置のスタンバイ時に画像処理装置のロジックＩＣにクロックの供給を停止し、また、コピー動作中のコードレス通話の使用禁止し、コードレス通話の制御チャネルが使用されている場合のコピー使用禁止することが記載されている。
【０００８】
【特許文献１】
特開２００１−３３２９９４号公報
【特許文献２】
特開平７−３３６５２０号公報
【特許文献３】
特開平８−２９３８３９号公報
【特許文献４】
特開平１１−１２７３００号公報
【０００９】
【発明が解決しようとする課題】
しかしながら、近年、無線通信装置（例えば、コードレス電話機）では、情報通信技術の発展に伴い、通信業者などの固定電話機の情報閲覧サービスが始まり、それにより、表示部もモノクロからカラー化へと進化しており、表示部へのデータ転送量が増えるにつれて、上記問題が顕在化してきた。すなわち、無線通信装置（例えば、コードレス電話機）のパフォーマンスが上がり、表示用データ量も従前の数十倍を要するまでになり、かつ、データ転送タイミングもより高速化してデータ量が増えることで、無線通信においてバースト的なノイズが発生するようになった。
【００１０】
また、表示部が、カラー化して、待ち受け画面やスクリーンセイバ等の動く画面に対応するようになったことで、定期的に、システムバス上には、バースト的なデータが転送されることになった。
【００１１】
そこで、本発明は、無線通信の際にデータ転送時に発せられるバーストノイズを抑制でき、通信品質を高めることができる無線通信装置、コードレス電話による通話の際に、親機側の表示器へのデータ転送時に発せられるバーストノイズを抑制でき、通話品質を高めることができるコードレス電話機、表示動作制御方法、プログラムおよび記憶媒体を提供することを目的とする。
【００１２】
【課題を解決するための手段】
上記目的を達成するために、本発明の無線通信装置は、電波による音声信号を送受信する無線通信装置において、前記無線通信装置の表示画面に表示されるデータを記憶する記憶手段と、該記憶されたデータを転送する転送手段と、該転送されたデータを基に、定期的に前記装置の表示画面を更新する表示制御手段と、前記無線通信装置の無線通信状態を監視し、該無線通信状態に基づいて、前記データの転送を停止する制御手段とを備えたことを特徴とする。
【００１３】
本発明のコードレス電話機は、親機と子機との間で電波による音声信号を送受信するコードレス電話機において、前記親機の表示画面に表示されるデータを記憶する記憶手段と、該記憶されたデータを転送する転送手段と、該転送されたデータを基に、定期的に前記親機の表示画面を更新する表示制御手段と、前記親機・子機間の無線通信状態を監視し、該無線通信状態に基づいて、前記データの転送を停止する制御手段とを備えたことを特徴とする。
【００１４】
本発明の表示動作制御方法は、電波による音声信号を送受信する無線通信装置の表示動作を制御する表示動作制御方法において、前記無線通信装置の表示画面に表示されるデータを記憶する記憶ステップと、該記憶されたデータを転送する転送ステップと、該転送されたデータを基に、定期的に前記装置の表示画面を更新する表示制御ステップと、前記無線通信装置の無線通信状態を監視し、該無線通信状態に基づいて、前記データの転送を停止する制御ステップとを有することを特徴とする。
【００１５】
本発明の表示動作制御方法は、親機と子機との間で電波による音声信号を送受信するコードレス電話機の表示動作を制御する表示動作制御方法において、前記親機の表示画面に表示されるデータを記憶する記憶ステップと、該記憶されたデータを転送する転送ステップと、該転送されたデータを基に、定期的に前記親機の表示画面を更新する更新ステップと、前記親機・子機間の無線通信状態を監視し、該無線通信状態に基づいて、前記データの転送を停止する制御ステップとを有することを特徴とする。
【００１６】
本発明の無線通信装置は、電波による音声信号を送受信する無線通信装置において、前記無線通信装置の表示画面に表示されるデータを展開する展開手段と、該展開されたデータを転送する転送手段と、該転送されたデータを基に、前記装置の表示画面を更新する表示制御手段と、前記無線通信装置の無線通信状態を監視する監視手段と、前記データの転送を停止する停止手段とを備え、前記無線通信通信装置が無線通信状態にある場合、前記停止手段が、前記データの転送を停止するとともに、前記表示制御手段は既に転送されたデータを基に表示を継続することを特徴とする。
【００１７】
本発明の表示動作制御方法は、電波による音声信号を送受信する無線通信装置の表示動作を制御する表示動作制御方法において、前記無線通信装置の表示画面に表示されるデータを展開する展開ステップと、該展開されたデータを転送する転送ステップと、該転送されたデータを基に、前記装置の表示画面を更新する表示制御ステップと、前記無線通信装置の無線通信状態を監視する監視ステップと、前記データの転送を停止する停止ステップとを有し、前記無線通信装置が無線通信状態にある場合、前記停止ステップで前記データの転送を停止するとともに、前記表示制御ステップで既に転送されたデータを基に表示を継続することを特徴とする。
【００１８】
【発明の実施の形態】
本発明の無線通信装置、コードレス電話機、表示動作制御方法、プログラムおよび記憶媒体の実施の形態について、図面を参照しながら説明する。図１は実施の形態におけるコードレス電話付きファクシミリ装置（ＦＡＸ）の構成を示す図である。図において、１００は本実施形態のファクシミリ装置（コードレス電話機の親機）である。１１０はコードレス電話機の子機である。
【００１９】
親機１００は、表示部１０１、操作部１０２、ハンドセット１０３および親機アンテナ１０４を有し、有線回線１３０を介して公衆回線に接続されている。親機アンテナ１０４は子機１１０との無線通信に使用される。表示部１０１はカラーＬＣＤから構成される。一方、コードレス電話の子機１１０は、表示部１１１、操作部１１２および子機アンテナ１１３を有する。子機アンテナ１１３は親機１００との無線通信に使用される。
【００２０】
図２は親機１００の内部構成を示すブロック図である。親機１００は、本体の制御、回線制御、および子機１１０との無線制御などを行うユニットであり、ＣＰＵ２０１、ＲＯＭ２０２、ＲＡＭ２０３、ＬＣＤコントローラ２０４、カラーＬＣＤ等の表示デバイス部（表示部）１０１、操作部１０２、読取部２０７、記録部２０８、モデム（ＭＯＤＥＭ）部２０９、回線インタフェイス（Ｉ／Ｆ）２１０、無線部２１１、システムバス２１５および親機アンテナ１０４を有する。また、ＣＰＵ２０１は、ＲＡＭ２０３からＬＣＤコントローラ２０４にＤＭＡ転送するためのＤＭＡコントローラを内蔵している。
【００２１】
ＲＯＭ２０２はシステムプログラムや表示データを格納する。ＲＡＭ２０３は動作用のワークエリア、表示画面用のワークエリアまたはデータバックアップ用データの記憶領域として使用される領域である。無線部２１１はコードレス電話機の子機１１０と通信する。また、ＲＯＭ２０２のプログラムに従って、ＣＰＵ２０１は、親機１００／子機１１０が無線通信中であるか否かの無線通信状態の監視、記録部２０８、読取部２０７等の状態の監視を行い、記録紙の有無、原稿の有無、ジャムの有無、記録部２０８のインクの有無等の確認を行っている。
【００２２】
図３は子機１１０の内部構成を示すブロック図である。子機１１０は、ＣＰＵ３０１、ＲＯＭ３０２、ＲＡＭ３０３、音声処理を行うベースバンド部３０４、変復調を行う無線部３０５、子機アンテナ１１３、表示部１１１および操作部１１２から構成される。
【００２３】
上記構成を有する親機１００の表示動作処理を示す。この表示動作処理は、ＣＰＵ２０１が前述の各状態（親機１００／子機１１０の無線通信状態、記録部２０８、読取部２０７等の状態）を監視することにより確認すべき内容（記録紙の有無、原稿の有無、ジャムの有無、記録部２０８のインクの有無等）を表示部１０１の画面に表示するものである。
【００２４】
また、ＲＯＭ２０２にはこれらの内容を表示部１０１の画面に表示するためのデータが予め格納されている。具体的には、ＲＯＭ２０２には、紙がなくなったときに表示部１０１の画面に「紙なし」を表示するデータや、子機１１０が通話中になったときに表示部１０１の画面に「子機通話中」を表示するデータが格納されている。
【００２５】
この表示データは、システムバス２１５を使用したブロック転送により、ＲＯＭ２０２からＲＡＭ２０３（ビデオＲＡＭ）にグラフィックデータとして展開される。ＲＡＭ２０３はＳＤＲＡＭからなる。表示画面１枚分のデータとして組み立てた状態で、ＤＭＡ転送によりデータはＲＡＭ２０３からＬＣＤコントローラ２０４に転送される。ＬＣＤコントローラ２０４に転送されたデータは、表示デバイス部１０１を描画するために、更に表示デバイス部１０１に転送される。この動作を定期的に繰り返すことにより、動く待ち受け画面やスクリーンセイバなどの画面が実現される。また、表示の仕組みとして、表示部１０１に表示する全ての画面は同様の仕組みとなっている。
【００２６】
図４および図５は子機１１０で通話する際、表示データの転送を停止し、その通話終了後にスタンバイ状態に戻るまでの親機および子機の動作処理手順を示すフローチャートである。同図（Ａ）は親機側の処理を示し、同図（Ｂ）は子機側の処理を示す。これらの処理プログラムは、それぞれ親機１００のＲＯＭ２０２、子機１１０のＲＯＭ３０２に格納されており、各ＣＰＵ２０１、３０１によって実行される。まず、親機１００はスタンバイ状態にあり、親機１００の表示部１０１に待ち受け画面を表示する（ステップＳ１）。この際、待ち受け画面の一例として、記録部２０８、読取部２０７等の状態を表示してもよい。
【００２７】
この待ち受け表示処理では、前述したように、待ち受け画面用の表示データをＲＯＭ２０２から読み出し、ＲＯＭ２０２からシステムバス２１５を使用したブロック転送により、ビデオＲＡＭ２０３にそのグラフィックデータを展開する。そして、待ち受け画面の表示１枚分のデータに組み立てた状態で、次のＤＭＡ転送によりＬＣＤコントローラ２０４に転送する。ＬＣＤコントローラ２０４に転送されたデータは、描画のために、表示デバイス部１０１に更に転送されて表示される。
【００２８】
この後、着信があるか否かを判別し（ステップＳ２）、着信がない場合、ステップＳ１の処理に戻り、一方、着信があると、着信動作と同時に着信表示を行う（ステップＳ３）。ここでは、着信時に呼出検出を行い、着信表示を行う。この表示処理は、上記待ち受け画面時と同様の処理で行われる。
【００２９】
そして、子機１１０への着信起動を行う（ステップＳ４）。親機１００から子機１１０への着信接続要求にしたがって、チャンネルサーチを開始し、このとき、無線部２１１でキャリア検知を行い、他のコードレス電話機が使用されているか否かを検知した上で、そのチャンネルの帯域内に妨害波が存在するか否かを検知する（ステップＳ５）。そして、キャリアを検知した後、使用可能チャンネルを確定する（ステップＳ６）。
【００３０】
一方、子機１１０は、親機１００から使用可能チャンネルの情報を受けると、子機１１０側でも、キャリアおよび妨害波の検知を行い、子機として使用可能なチャンネルがある場合、子機１１０の鳴動を開始する（ステップＳ２１）。そして、子機１１０が応答すると（ステップＳ２２）、親機１００は回線を捕捉し（ステップＳ７）、親機１００と子機１１０との間で通話パスが形成され、子機１１０が通話状態になる。
【００３１】
親機１１０は、表示部１０１の画面を子機通話状態の表示に変更する（ステップＳ８）。このとき、上記待ち受け画面表示と同じ方法で表示画面が切り替わる。この後、表示動作を継続してしまう、即ち、ＲＡＭ２０３からＬＣＤコントローラ２０４にグラフィックデータをＤＭＡ転送することを継続すると、通話に入っても、キャリアセンスにかからないレベルのノイズが発生し、それが通話において不快なノイズとなって、使用者に聞こえてしまうことになる。このノイズは、ＬＣＤコントローラ２０４に至るまでの表示データの転送タイミングに同期して、システムバス２１５上で発生する。ここで、システムバス２１５上で発生するノイズは、システムバス２１５の全域に亘って放射されるので、子機１１０などの無線機器に与える影響は極めて大きい。
【００３２】
このため、子機１１０での通話時のみ、表示方法を変更する（ステップＳ９）。すなわち、この表示処理では、上述したように、子機１１０の通話中に表示するためのグラフィックデータを、ブロック転送により、ＲＯＭ２０２からビデオＲＡＭ２０３に展開し、更にＤＭＡ転送によりＬＣＤコントローラ２０４に転送し、また更にＬＣＤコントローラ２０４に転送されたデータを、描画のために、表示デバイス部１０１に転送するが、ステップＳ９では、子機１１０への通話移行というステータスの変化に同期して、表示データの転送タイミングを所定のタイミングだけ遅延させた後、表示データの転送を停止するようにする。これにより、ＲＯＭ２０２からＲＡＭ２０３へのブロック転送は停止し、ＲＡＭ２０３からＬＣＤコントローラ２０４へのＤＭＡ転送も停止する。したがって、システムバス２１５上で定期的に発生するバースト的なデータ転送がなくなり、システムバス２１５からノイズが発生しなくなる。一方、ＬＣＤコントローラ２０４は転送されたデータを蓄積するメモリを有しており、ＬＣＤコントローラ２０４からＬＣＤ（表示部）１０１への専用バスでは、データ転送が行われるので、表示は継続される。
【００３３】
ここでの転送による子機などの無線機器に与える影響は、ＬＣＤコントローラ２０４からＬＣＤ１０１への専用バスを用いた表示データの転送だけで小さい。この理由は、第一にＬＣＤコントローラ２０４とＬＣＤ１０１間の専用バスを用いた転送ではその距離が短く、システムバスでの転送に比べノイズの放射エリアが格段に狭いこと、第二にたとえ子機などの無線機器に影響を与えるノイズが発生したとしても、通常ＬＣＤコントローラ２０４とＬＣＤ１０１間の専用バスはケーブルでつながれているためコア等のノイズ対策部品を入れることで簡単に対応できること、第三に、ＬＣＤコントローラ２０４とＬＣＤ１０１間のデータ転送は、一般的にシステムバス上の転送ほど転送が速くないためタイミング遅延マージンが充分に大きく発生するノイズ波形を鈍らせるなどの対策できること等である。
【００３４】
また、子機への通話移行というステイタスの変化と同時に、データ転送停止の処理を行ってしまうと、表示が切り替わらないといったことが予想されるので、前述したように、子機が通話中になっても、子機呼出中表示のままとならないように、表示データの転送の停止に一定のディレイを持たせる。即ち、表示データの転送の停止前に「子機呼出中」の表示から「子機通話中」の表示に切り替える制御を行うようにする。このように所定のタイミングだけ遅延させた後（即ち、「子機呼出中」の表示から「子機通話中」の表示に切り換える処理を行った後）、表示データの転送を停止するようにすることで、「子機呼出中」の表示から「子機通話中」の表示に確実に切り換えることができる。
【００３５】
また、ここでは図５のステップＳ９に示される表示データの転送中止（ＲＡＭ２０３からＬＣＤコントローラ２０４への表示データの転送中止）処理の前に、ステップＳ８の子機通話状態表示の処理を入れており、これによりディレイが確保されており表示を確実に切り換え、装置の最新の状態をユーザに通知するることができる。ここでは、「子機通話中」という表示に切り換えた後、表示データの転送を中止したが、子機の通話状態の表示に限らず、変化した装置の最新の状態、例えば「留守番電話応答中」「紙なし」「インクなし」といった装置の最新の状態を表示に反映した後で、表示データの転送中止処理を行うようにしてもよい。さらに、ステップＳ８では、子機通話状態表示の処理の後、表示データの転送の中止を実行したが、これに限らず「子機呼出中の表示」から「子機通話中」に表示を変更できるのに十分な一定の遅延時間を計測し一定時間を経過したところで転送中止をする処理を行っても構わない。
【００３６】
そして、子機１１０との通話中、表示を変更しないので、現在の表示をそのまま継続し、子機１１０の通話が終了すると（ステップＳ２３）、親機１００は回線を開放する（ステップＳ１０）。再び、スタンバイ状態に戻り、転送する表示データも通常の表示方法にて表示されるデータに戻り、通常の待ち受け画面となる（ステップＳ１１）。この後、子機１１０および親機１００とも、本表示動作処理を終了する。図６はシステムバス２１５上のデータ転送および通話時のノイズを示すタイミングチャートである。同図（Ａ）では、システムバス２１５上のデータの転送時、定期的に表示部１０１にデータ転送を行っている間、無線部２１１の出力である、図示する波形のＲＳＳＩ信号（受信信号強度表示信号）が発生し、およびこれと同期して親機アンテナ１０４で受信される通話時のデータにノイズが発生する。同図（Ｂ）では、システムバス２１５上のデータの転送を停止すると、無線部２１１の出力にノイズが発生しなくなる。これらのノイズ干渉は、図２に簡易的に示した矢印でありＣＰＵ２０１、ＲＯＭ２０２、ＲＡＭ２０３およびＬＣＤコントローラ２０４の動作によって、システムバス２１５上の信号が変化し、そこからノイズが発生し、親機アンテナ１０４に飛び込むことによるものである。
【００３７】
ここでは、コードレス電話の親機と子機の通信中に、親機の表示器へのデータの転送を停止する例について述べたが、これに限らず、２つの無線通信機の通信中に、一方の無線通信機のＣＰＵが、その無線通信機の表示器に表示するデータの転送を停止するようにしてもよい。また、一方の無線通信機の構成は図２記載の親機１００において記録部２０８や読取部２０７の無い構成であっても構わない。
【００３８】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００３９】
例えば、上記実施形態では、表示データの転送だけを停止していたが、その他に通話時のノイズとなる可能性のある各種データがある場合、その転送を停止してもよい。
【００４０】
また、上記実施形態では、コードレス電話機が搭載されたファクシミリ装置に適用された場合を示したが、これに限らず、コードレス電話機そのもの、あるいは留守番電話機能が付属されたコードレス留守番電話機に適用されてもよい。あるいは表示器を有する無線通信装置の通信に適用されてもよい。
【００４１】
また、本発明は、前述した実施形態の機能を実現するソフトウェアのプログラムコードを親機１００に供給し、そのシステム或いは装置のコンピュータ（またはＣＰＵやＭＰＵ等）が記憶媒体に格納されたプログラムコードを読み出して実行することによっても達成される。
【００４２】
この場合、記憶媒体から読み出されたプログラムコード自体が前述した実施の形態の機能を実現することになり、そのプログラムコードを記憶した記憶媒体は本発明を構成することになる。
【００４３】
プログラムコードを供給する記憶媒体としては、上述した実施の形態におけるようなＲＯＭに限らず、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、或いはネットワークを介したダウンロードなどを用いることができる。
【００４４】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００４５】
【発明の効果】
本発明によれば、無線通信装置による無線通信時にデータ転送時に発せられるバーストノイズを抑制でき、通信品質を高めることができる。また、コードレス電話による通話時、親機側の表示器へのデータ転送時に発せられるバーストノイズを抑制でき、通話品質を高めることができる。つまり、コードレス子機に通話が入ったときだけ、データ転送を停止させることにより、データ転送時に発せられるバーストノイズを抑制できる。
【００４６】
また、装置の状態に変化があった場合でも、表示器へのデータ転送時に発せられるバーストノイズを抑制しながら、表示を維持することができ、ユーザにとって非常にわかりやすいという優れた効果がある。
【００４７】
また、装置の状態に変化があった場合でも、表示器へのデータ転送時に発せられるバーストノイズを抑制しながら、最新の状態が表示されるという優れた効果がある。
【００４８】
また、各種のデータ転送を停止するために、例えば、回線系の動作状態（ステイタス）を監視し、その変化に合わせて制御することができる。さらに、動作状態の変化と同時にデータ転送を停止すると、表示が切り替わらないといった事態が発生しないように、例えば、子機が通話中になっても、子機呼出中表示のままとならないように、一定のディレイ時間を持たせて表示を切り替える制御を行うことで、全てを満足できる。
【００４９】
また、ソフトウェアで実現でき、ハードウェア的な対策、例えば基板をシールドしたり、フィルタを設けたり、干渉しないように周波数を変える等の対策が不要となる。
【図面の簡単な説明】
【図１】実施の形態におけるコードレス電話付きファクシミリ装置（ＦＡＸ）の構成を示す図である。
【図２】親機１００の内部構成を示すブロック図である。
【図３】子機１１０の内部構成を示すブロック図である。
【図４】子機１１０で通話する際、表示データの転送を停止し、その通話終了後にスタンバイ状態に戻るまでの親機および子機の動作処理手順を示すフローチャートである。
【図５】図４につづく、子機１１０で通話する際、表示データの転送を停止し、その通話終了後にスタンバイ状態に戻るまでの親機および子機の動作処理手順を示すフローチャートである。
【図６】システムバス２１５上のデータ転送および通話時のノイズを示すタイミングチャートである。
【符号の説明】
１００　親機
１０１　表示部
１０４　親機アンテナ
１１０　子機
１１３　子機アンテナ
２０１　ＣＰＵ
２０２　ＲＯＭ
２１５　システムバス
【図１】
2004007500.tif 000003
【図２】
2004007500.tif 000004
【図３】
2004007500.tif 000005
【図４】
2004007500.tif 000006
【図５】
2004007500.tif 000007
【図６】
2004007500.tif 000008